(57)【特許請求の範囲】
【請求項１】
文字板に形成された指針回動領域を取囲むように透明部材からなる目盛部が設置され、
前記文字板の裏面側に、少なくとも前記目盛部を照明可能な照明用光源部が設けられ、
前記目盛部が、前記照明用光源部の光を入射可能な入射面を有する計器装置において、
前記目盛部が、前記文字板の面方向へ延びて見える横表示部と、該横表示部から前記文字板のほぼ面直方向へ延びて見える縦表示部とを有し、
該縦表示部が、前記指針回動領域を取囲むように設けられた透明部材からなる見返筒部の内周面に、縦表示部となる部分を除いて不透光性の被覆層を形成することによって設けられると共に、
前記見返筒部の前記縦表示部が設けられている位置の裏面側に、着色フィルタ部を設けたことを特徴とする計器装置。
【請求項２】
前記目盛部の縦表示部の裏面側に、前記照明用光源部の光を外側から入射可能な外側入射面を設けると共に、
該外側入射面の外側に、前記照明用光源部の光を外側から前記外側入射面へと導く外側入光部を設けたことを特徴とする請求項１記載の計器装置。
【請求項３】
前記着色フィルタ部の奥側の端部を、前記目盛部の縦表示部の手前側の端部と奥側の端部との間に見えるように位置させたことを特徴とする請求項１または請求項２記載の計器装置。
【請求項４】
前記目盛部を、着色フィルタ部の奥側の端部の周辺を拡大可能な拡大レンズ形状部としたことを特徴とする請求項３記載の計器装置。
【請求項５】
文字板の指針回動領域を取囲むように設けられて内周面に前記目盛部の縦表示部を有する前記見返筒部の手前側の端部に、周方向へ延びて、外部から前記外側入光部を覗くことのできる透明なリング状窓部が形成されたことを特徴とする請求項２ないし請求項４のいずれか１項に記載の計器装置。
【請求項６】
前記リング状窓部に、直接または間接的にハーフミラー効果を有する金属メッキ被覆部を施したことを特徴とする請求項５記載の計器装置。
【請求項７】
前記見返筒部の外側に、アッパハウジングが設けられ、該アッパハウジングと前記見返筒部との先端部間がリング状の端壁部で連結され、該端壁部に対して前記リング状窓部が形成されたことを特徴とする請求項５または請求項６に記載の計器装置。 
【発明の詳細な説明】
【技術分野】
【０００１】
この発明は、計器装置に関するものである。より詳しくは、自動車などの車両に設けられる計器装置に関するものである。
【背景技術】
【０００２】
自動車などの車両には、通常、運転席の前方に計器装置が設けられている（例えば、特許文献１参照）。この計器装置は、運転情報を表示するために設けられるものであり、このような計器装置には、例えば、速度計や回転計などがある。
【０００３】
図１９は、従来の計器装置１Ａを示す断面図である。この計器装置１Ａは、指針回動領域２を有する文字板３を備えている。文字板３の指針回動領域２の内側には、指針回動領域２の周縁部に沿い所要の間隔を有して図に明示しない複数の数値表示部４（位置のみ示している）が形成されている。そして、文字板３の指針回動領域２の外側などには、指針回動領域２の周縁部に沿って特に図で明示しない複数の目盛部５（位置のみ示している）が形成されている。この目盛部５は、上記した各数値表示部４と合致する位置や、隣接する数値表示部４間の位置などに設けられる。
【０００４】
上記した文字板３は、例えば、透明な樹脂製の基板に、数値表示部４および目盛部５を残して、不透光性の被覆層を設けたものである。数値表示部４および目盛部５は、上記した被覆層のない透光性の開口部とすることができる。または、数値表示部４および目盛部５は、上記とは別の白色又は着色された半透光性の被覆層を施したものとすることができる。
【０００５】
そして、文字板３の裏面側には、文字板３に形成された数値表示部４および目盛部５を照明可能な照明用光源部６が設けられている。
【０００６】
なお、この文字板３における、指針回動領域２の中心部には、指針軸孔８が設けられている。この指針軸孔８には、文字板３と面直な方向に指針軸９が貫通配置されている。そして、指針軸９の（文字板３）表面側の端部には、指針１１が取付けられている。また、指針軸９の（文字板３）裏面側の端部は、指針駆動装置１２に接続されている。
【０００７】
そして、上記した文字板３は、計器装置本体１３の内部に収容されている。計器装置本体１３は、主に、ロワハウジング１４とアッパハウジング１５とで構成されている。文字板３は、このロワハウジング１４とアッパハウジング１５との間に挟着保持されている。更に、アッパハウジング１５の先端部には、文字板３の表面を視認可能とする透明なフロントカバー１６が取付けられている。上記した照明用光源部６は、ロワハウジング１４の内部に収容されている。
【０００８】
そして、このような構成によれば、照明用光源部６を点灯することにより、透光性の開口部または半透光性の別の被覆層を通して、文字板３上の数値表示部４および目盛部５を照明することができる。
【０００９】
また、図２０は、上記とは別の従来の計器装置１Ｂを示す断面図である。上記した計器装置１Ａとほぼ同様の構成において、この計器装置１Ｂでは、目盛部５の位置に、立体感を持たせるために、文字板３とは別部材による目盛部材１７を設置するようにしている。
【００１０】
この場合、目盛部材１７は、ほぼ一定の高さ寸法及び幅寸法を有して文字板３の面に沿い延びるブロック状のものとされている。この目盛部材１７は、指針軸孔８を中心とする放射状に配置されている。そして、この目盛部材１７は、透明な樹脂部材によってできており、その底部が、照明用光源部６からの光を、文字板３を介して入射する入射部１８とされている。
【先行技術文献】
【特許文献】
【００１１】
【特許文献１】特開２００９−１９８４６５号
【発明の概要】
【発明が解決しようとする課題】
【００１２】
しかしながら、上記従来の計器装置には以下のような問題があった。
【００１３】
即ち、図１９の計器装置１Ａでは、目盛部５が、文字板３に不透光性の被覆層を部分的に形成しないことによって直接形成されているため、立体感に乏しいという問題があった。
【００１４】
また、図２０のように、文字板３とは別部材でブロック状の目盛部材１７を設けた計器装置１Ｂでは、若干の立体感を出すことができるものの、立体感についてはまだ不十分であった。  また、上記した目盛部５や目盛部材１７は、構造上、照明用光源部６と同じ色又は、文字板３の数値表示部４、目盛部５の半透過性の被覆層に着色された色にしか照明することできないため、照明による視覚効果が低かった。
【課題を解決するための手段】
【００１５】
上記課題を解決するために、本発明は、文字板に形成された指針回動領域を取囲むように透明部材からなる目盛部が設置され、前記文字板の裏面側に、少なくとも前記目盛部を照明可能な照明用光源部が設けられ、前記目盛部が、前記照明用光源部の光を入射可能な入射面を有する計器装置において、前記目盛部が、前記文字板の面方向へ延びて見える横表示部と、該横表示部から前記文字板のほぼ面直方向へ延びて見える縦表示部とを有し、該縦表示部が、前記指針回動領域を取囲むように設けられた透明部材からなる見返筒部の内周面に、縦表示部となる部分を除いて不透光性の被覆層を形成することによって設けられると共に、前記見返筒部の前記縦表示部が設けられている位置の裏面側に、着色フィルタ部を設けたことを特徴としている。 
【発明の効果】
【００１６】
本発明によれば、上記構成によって、以下のような作用効果を得ることができる。即ち、目盛部に立体感を与える事ができると共に、見返筒部の縦表示部が設けられている位置の裏面側に着色フィルタ部を設けることによって、目盛部の縦表示部の全部または一部を、着色フィルタ部の色で視認することができる。また、目盛部の横表示部を、着色フィルタ部の色に着色されないようにすることもできる。 
【図面の簡単な説明】
【００１７】
【図１】本発明の実施例にかかる計器装置の斜視図である。
【図２】図１の正面図である。
【図３】図２のＡ−Ａ矢視方向の断面図である。
【図４】図１の目盛部の部分拡大図である。
【図５】着色フィルタ部の奥側端部の位置を、より手前側にした図３と同様の断面図である。
【図６】着色フィルタ部の奥側端部の位置を、より奥側とした図３と同様の断面図である。
【図７】図１の変形例１の斜視図である。
【図８】図７の正面図である。
【図９】図８の断面図である。
【図１０】図１の変形例２の斜視図である。
【図１１】図１０の正面図である。
【図１２】図１１の断面図である。
【図１３】図１の変形例３の斜視図である。
【図１４】図１３の正面図である。
【図１５】図１４の断面図である。
【図１６】図１の変形例４の斜視図である。
【図１７】図１６の正面図である。
【図１８】図１７の断面図である。
【図１９】従来例の断面図である。
【図２０】別の従来例の断面図である。
【発明を実施するための形態】
【００１８】
本発明は、主に、視覚効果や照明効果を向上し得るように構成している。
【００１９】
以下、本発明を具体化した実施例について、図示例と共に説明する。
【実施例】
【００２０】
図１〜図６は、この発明の実施例を示すものである。このうち、図１は全体斜視図、図２はその正面図、図３は断面図、図４は部分拡大斜視図、図５、図６は着色フィルタ部の奥側端部の位置を変化させた説明図であり、主に、図３を用いて説明する。
【００２１】
＜構成＞まず、構成について説明する。
【００２２】
自動車などの車両における、運転席の前方には、運転情報を表示するための計器装置２１が設けられる。この場合、計器装置２１は、速度計となっているが、回転計やその他の計器部であっても良い。また、速度計や回転計などの複数の計器部を一つにまとめた計器ユニットなどとしても良い。
【００２３】
そして、この計器装置２１は、計器装置本体２２を備えている。この場合、計器装置本体２２は、ほぼ円筒状をしている。計器装置本体２２は、主にロワハウジング２３とアッパハウジング２４とで構成されている。この場合、ロワハウジング２３は、有底短筒状をしている。また、アッパハウジング２４は、ロワハウジング２３よりも長い筒状をしている。ロワハウジング２３の手前側（乗員側）端部と、アッパハウジング２４の奥側（車両前方）端部との間には、嵌合による連結部２５が設けられている。この場合、連結部２５は、アッパハウジング２４に設けられた、ロワハウジング２３に対して外嵌可能な大径嵌合部とされている。アッパハウジング２４の先端部（手前側端部）には、計器装置本体２２の内部を視認可能とする透明なフロントカバー２６が取付けられている。この場合、フロントカバー２６は、アッパハウジング２４の手前側端部を覆うと共にアッパハウジング２４に対して外嵌固定可能な枠付円板状をしている。
【００２４】
そして、計器装置本体２２の内部には、文字板２７が収容されている。この文字板２７は、ロワハウジング２３とアッパハウジング２４との間の位置に設置されている。この文字板２７には指針軸孔２８が設けられている。この指針軸孔２８には、文字板２７と面直な方向に指針軸２９が貫通配置されている。そして、指針軸２９の（文字板２７）表面側の端部には、指針３１が取付けられている。また、指針軸２９の（文字板２７）裏面側の端部は、指針駆動装置３２に接続されている。
【００２５】
そして、文字板２７における、指針３１の先端が移動する（ほぼ円形の）範囲が指針回動領域３３とされる。文字板２７の指針回動領域３３の内側には、指針回動領域３３の周縁部に沿い所要の間隔を有して図示しない複数の数値表示部３４が形成される。なお、文字板２７は、指針回動領域３３より大きいものとしても良い。
【００２６】
上記した文字板２７は、例えば、透明な樹脂製の基板に、半透光性の被覆層を設けると共に、半透光性の被覆層の外側に数値表示部３４を残して、不透光性の被覆層を施したものなどとされる。ここで、半透光性の被覆層は、例えば、白色印刷部や赤色印刷部などによって構成される。不透光性の被覆層は、例えば、黒色印刷部などによって構成される。
【００２７】
そして、文字板２７の裏面側には、文字板２７を照明可能な照明用光源部３５が設けられる。この照明用光源部３５は、ロワハウジング２３の内部（内底部）に収容、設置される。照明用光源部３５には、例えば、ＬＥＤなどの発光素子などが用いられる。この照明用光源部３５は、いわゆる電球色の光または白色光を発光するものとされる。そして、ロワハウジング２３の内面には、照明用光源部３５からの光を乱反射させるための反射面が形成される。この反射面は、例えば、ロワハウジング２３を白色の樹脂で形成し反射性を向上させたり、又は白色塗装部などによって構成される。これらの構成によって、ロワハウジング２３の内部は、照明用空間などとされる。
【００２８】
また、計器装置本体２２の内部には、文字板２７の指針回動領域３３を取囲むように見返筒部３６が設けられている。この見返筒部３６は、外部からの光の入射によって、計器装置２１の内部が見え難くなるのを防止するためのものである。この見返筒部３６は、この場合、透明部材によって構成されている。そして、見返筒部３６の表面（内周面）には、不透光性の被覆層３６ａ（図中太線で示す）が施されている。この不透光性の被覆層３６ａは、例えば、黒色塗装部などとされている。なお、見返筒部３６とアッパハウジング２４との関係については後述するが、本実施例では、見返筒部３６とアッパハウジング２４とは、透明材料で一体成形されている。
【００２９】
そして、文字板２７に形成された指針回動領域３３を取囲むように目盛部３７が複数設置される。この目盛部３７は、上記した各数値表示部３４と合致する位置に設けられる大目盛や、隣接する数値表示部３４間の位置に設けられる小目盛などを有している。但し、目盛部３７の構成については、これに限るものではない。
【００３０】
この目盛部３７は、透明部材で構成されると共に、文字板２７の面方向へ延びて見える横表示部３８と、横表示部３８から文字板２７のほぼ面直方向へ延びて見える縦表示部３９とを有している。横表示部３８は、通常、指針軸孔２８へ向けて、指針回動領域３３の半径方向へ延設されるものなどとされる。縦表示部３９は、横表示部３８の内周側から、外周側に向かい、横表示部３８の内周側端部の高さレベルよりも大きく手前側（または奥側）へ延びるものなどとされる。但し、目盛部３７は、横表示部３８と縦表示部３９とが一体となって明確には分けられない形状となることもある。この場合にも、横表示部３８と縦表示部３９との表面が曲率の大きな曲線によって繋がれた形状となっているので、両者を明確に分けることは難しくなっている。ここでは、目盛部３７の横方向の長さと、縦方向の長さとの比は、ほぼ１対３程度とされている。但し、この比の値は、これに限るものではない。
【００３１】
この目盛部３７は、図４に示すように、見返筒部３６に一体に設けられている。この場合、目盛部３７は、見返筒部３６の内面に対して、上記した不透光性の被覆層３６ａを塗り残すことにより、透明窓状のものとして形成されている。しかも、目盛部３７は、見返筒部３６の内面に設けた突出部４１の表面に設けられている。更に、目盛部３７は、突出部４１の表面に対し、上記した不透光性の被覆層３６ａによる所要の輪郭部または縁取部を有して形成されている。なお、目盛部３７は、必ずしも、突出部４１の表面に設けるようにする必要はない。
【００３２】
そして、文字板２７の裏面側に設けた上記照明用光源部３５によって、目盛部３７を照明可能とする。そのために、目盛部３７に、照明用光源部３５の光を入射可能な入射面を設けるようにする。この入射面は、通常、目盛部３７における、横表示部３８の裏面に設けられた、照明用光源部３５の光を底部側から入射可能な底部入射面４２とされる。この場合、目盛部３７は、基本的に、照明用光源部３５の白色光による白色に照明されるものとなる。なお、目盛部３７は、その表面に対して、梨地模様（または絞模様）などの細かい凹凸意匠を形成しておくようにするのが好ましい。この凹凸意匠は、ブラスト加工などによって形成することができる。なお、この凹凸意匠は、上記した見返筒部３６やアッパハウジング２４などに対しても、同様に設けることができる。また、目盛部３７に、数値表示部３４と同様に半透過性の被覆層を設け、該被覆層を白色、赤色等の所望の色に着色してもよい。
【００３３】
尚、本実施例では、見返筒部３６とアッパハウジング２４とは、透明材料で一体成形され、文字板２７は、見返筒部３６の奥側端部から文字板２７と平行な方向へ延びる底壁部５９の表面に直接載置支持するようにしている。この底壁部５９の中心部は、ロワハウジング２３の中心部から立設されたスリーブ状部分６１の先端部外周によって係止保持されている。このスリーブ状部分６１は、指針軸２９の周囲を隙間を有して取囲むように設けられたものである。
【００３４】
尚、目盛部３７を照明する照明用光源部３５からの光は、底壁部５９の裏面側から入射し底壁部５９を透過し、底部入射面を介し目盛部３７へ至っている。また、目盛部３７が、底壁部５９と一体に形成されている場合は、照明用光源部３５からの光は底壁部５９の裏面側から入射し直接目盛部３７に至る。 
【００３５】
そして、以上のような基本的な構成に対し、この実施例のものでは、以下のような構成を備えるようにしている。
【００３６】
（構成１）着色フィルタ部５１による目盛部３７の多色化について
目盛部３７の縦表示部３９の裏面側（または、見返筒部３６の外周面側の縦表示部３９が設けられている位置の裏面側）に、照明用光源部３５の光を着色可能な着色フィルタ部５１を設ける。
【００３７】
この場合、着色フィルタ部５１は、有色透明なフィルム状のものや、フィルムよりも厚みのある透明着色材などを使用することができる。着色フィルタ部５１は、各目盛部３７の裏面側に対して個別に設けるようにすることもできるが、好ましくは、各目盛部３７の裏面側に対して共通のものを設けるようにする。例えば、着色フィルタ部５１を筒状にして見返筒部３６の外周面を取巻くように、または、取囲むように設置する。
【００３８】
（構成２）外側入射面５２による目盛部３７の輝度向上について
目盛部３７の縦表示部３９の裏面側に、上記入射面として照明用光源部３５の光を外側から入射可能な外側入射面５２を設ける。更に、この外側入射面５２の外側に、照明用光源部３５の光を外側から外側入射面５２へと導く外側入光部５３を設ける。
【００３９】
ここで、上記した外側入射面５２は、透明な見返筒部３６の外周面側に、上記した不透光性の被覆層３６ａを設けないことによって形成される（非被覆面）。この外側入射面５２は、透明な目盛部３７の内部に導かれる光の反射面としても機能するものである。なお、外側入射面５２を文字板２７と面直な面とすることにより、正面から、最も着色フィルタ部５１が見え難くなるように構成するのが好ましい。
【００４０】
また、外側入射面５２の外側に形成される上記した外側入光部５３は、見返筒部３６の外周面とアッパハウジング２４との間に、指針回動領域３３の周方向へ延びるほぼ筒状の空間部を設けることによって形成することができる。また、上記した着色フィルタ部５１は、この空間部の中に設置される。なお、図３では、上記空間部に対し、着色フィルタ部５１としての透明着色材が密に挿入配置されるようになっているが、着色フィルタ部５１は、上記空間部に対して隙間を有して介在させるようにしても良い。例えば、着色フィルタ部５１をフィルム状とした場合には、着色フィルタ部５１と空間部との間に、上記した隙間が形成されることになる。
【００４１】
更に、上記したアッパハウジング２４を透明部材で構成し、照明用光源部３５の光を透明部材から成るアッパハウジング２４の内部を導くようにすることにより、上記空間部の外側にも、補助的なまたは上記とは別の外側入光部５３を設けることができる。なお、透明なアッパハウジング２４の内周面側には、上記した不透光性の被覆層３６ａのようなものは設けないようにする。
【００４２】
（構成３）着色フィルタ部５１の境界位置の設定について
着色フィルタ部５１の文字板２７側の端部の奥側の端部５１ａを、目盛部３７の縦表示部３９の手前側の端部と奥側の端部との間に見えるように位置させるようにする。
【００４３】
図３の場合には、着色フィルタ部５１の奥側の端部５１ａは、横表示部３８の内周側端部の高さレベルよりも若干高い奥側寄りの位置に設定している。
【００４４】
（構成４）拡大レンズ形状部について
そして、目盛部３７（の側面形状）を、着色フィルタ部５１の奥側の端部５１ａの周辺を拡大可能な拡大レンズ形状部とする。
【００４５】
ここで、拡大レンズ形状部は、主に、目盛部３７の表面と裏面（この場合には、見返筒部３６の外周面または裏面）との間の肉厚を調整することによって設定することができる。この場合、目盛部３７の表面の形状は、手前側から奥側へ向けて徐々に縦表示部３９の肉厚が増加する手前側の傾斜部と、縦表示部３９と横表示部３８との境界部付近で曲率の比較的大きな円弧形状とされた奥側の曲面部とを有するものとされている。また、見返筒部３６の外周面の形状は、手前側から奥側へかけて文字板２７と面直になる直線形状とされている。これにより、拡大レンズ形状部は、手前側から奥側へ向けて横方向の肉厚が増大する凹レンズ形状となされている。
【００４６】
＜作用＞次に、この実施例の作用について説明する。
【００４７】
指針回動領域３３を取囲むように目盛部３７を設置することにより、指針３１の指す位置を目盛部３７によって読取り得るようにすることができる。
【００４８】
目盛部３７が、横表示部３８と縦表示部３９とを有することにより、計器装置２１を立体的に見せることができる。特に、横表示部３８と比べて縦表示部３９を大きくすることにより、立体的効果を高めることができる。
【００４９】
そして、照明用光源部３５を点灯することにより、文字板２７の透光性の開口部または半透光性の別の被覆層を通して数値表示部３４を照明することができる。
【００５０】
また、目盛部３７を透明部材で構成することにより、照明用光源部３５を点灯した時に、目盛部３７を照明することができる。この際、照明用光源部３５の光は、主に、横表示部３８の裏面側に形成された底部入射面４２から目盛部３７へ入射されて、目盛部３７内を透過することになる。目盛部３７の照明色は、照明用光源部３５の白色光によって白色に照明される。
【００５１】
なお、目盛部３７の表面に、梨地模様などの細かい凹凸意匠を形成しておくことにより、目盛部３７の照明光を柔らかく拡散させて、目盛部３７に対する照明の均一化を図ったり、後述する着色フィルタ部５１による着色部分や非着色部分やその境界部分に微妙な色合いを出させたりすることができる。
【００５２】
＜効果＞この実施例によれば、以下のような効果を得ることができる。
【００５３】
見返筒部３６の縦表示部３９が設けられている位置の裏面側に着色フィルタ部５１を設けることによって、目盛部３７の縦表示部３９の全部または一部を、着色フィルタ部５１の色で視認することができる。また、目盛部３７の横表示部３８を、着色フィルタ部５１の色で視認されないようにすることもできる。
【００５４】
これにより、図３に矢印アで示すように、文字板２７を正面から見ると、目盛部３７は、その大部分を占めて見える横表示部３８により、着色フィルタ部５１によって着色されていないように視認される。
【００５５】
また、図３矢印イに示すように、文字板２７を斜め方向から見ると、目盛部３７は、その大部分を占めて見える縦表示部３９の全部または一部により、着色フィルタ部５１によって着色されているように視認される。即ち、見る方向によって、目盛部３７の色を変化させて見せることができる。
【００５６】
しかも、斜めから見た場合に目盛部３７を着色フィルタ部５１によって視認できる効果は、照明用光源部３５を点灯して目盛部３７を照明している時に顕著に現れ、照明用光源部３５を消灯して目盛部３７を照明しない時には（内部が暗いため）余り目立たないようにすることができる。即ち、点灯時と消灯時とで、目盛部３７の色を変化させることができる。
【００５７】
（作用効果２）外側入射面５２などによる効果
目盛部３７が、縦表示部３９の裏面側に入射面として外側入射面５２を有し、外側入射面５２の外側に外側入光部５３を有することにより、照明用光源部３５の点灯時の目盛部３７への光の入射面積や入射光量が増大されるので、底部入射面４２から入射された光を内部で反射させるだけの場合と比べて、目盛部３７をより明るく照明することが可能となる。これにより、着色フィルタ部５１による目盛部３７の着色照明効果も向上することができる。
【００５８】
なお、外側入射面５２を文字板２７と面直な面とすることにより、正面からの視線に対し、最も着色フィルタ部５１を見え難くすることができると共に、上記した目盛部３７の色を変化させる効果を向上させることができる。
【００５９】
（作用効果３）着色フィルタ部５１の境界位置による効果
着色フィルタ部５１の奥側の端部５１ａを、目盛部３７の縦表示部３９の手前側の端部と奥側の端部との間に見えるように位置させることにより、着色フィルタ部５１によって目盛部３７の縦表示部３９が着色されて見える位置と、着色されないように見える位置との境界である着色境界部を設定したり調整したりすることができるようになる。
【００６０】
例えば、着色フィルタ部５１の奥側の端部５１ａを、図５に示すように、図３の位置よりも手前側にした場合には、上記着色境界部を手前側へ変移させることができる。これにより、角度Ａでは、着色フィルタ部５１の奥側の端部５１ａが見えなくなるため着色境界部がなく目盛部３７全体が白く見えるようになる。また、角度Ｂ〜Ｅでは、着色フィルタ部５１の奥側の端部５１ａが見えるため目盛部３７が二色に見えるものの、図３の位置よりも着色境界部が手前側に移動したように見える。
【００６１】
また、着色フィルタ部５１の奥側の端部５１ａを、図６に示すように、図３の位置よりも奥側にした場合には、上記着色境界部を奥側へ変移させることができる。これにより、角度Ａでは、着色フィルタ部５１の奥側の端部５１ａが見えなくなるため着色境界部がなく目盛部３７全体が白く見えるようになる。また、角度Ｂ〜Ｅでは、着色フィルタ部５１の奥側の端部５１ａが見えるため目盛部３７が二色に見えるものの、図３の位置よりも着色境界部が奥側に移動したように見える。
【００６２】
（作用効果４）拡大レンズ形状部による効果（グラデーション化）
目盛部３７に、手前側から奥側へ向けて徐々に肉厚を変化させた拡大レンズ形状部を設けることにより、乗員が計器装置２１を斜め側方から目盛部３７を見た場合、着色フィルタ部５１が、色の濃さが徐々に変化するグラデーション状に視認される。これは、目盛部３７を手前側から奥側へ向けて徐々に肉厚を変化させた事により、視認方向の目盛部３７の表面から着色フィルタ部５１までの距離が徐々に変化し、それに伴い透過率も徐々に変化することになり、グラデーション状に視認される。
【００６３】
また、目盛部３７に、拡大レンズ形状部を設けることにより、着色フィルタ部５１の奥側の端部５１ａに相当する部分（着色境界部）を拡大してぼかすことができる。これにより、着色フィルタ部５１の奥側の端部５１ａに相当する部分（着色境界部）の位置に、色の濃さが徐々に変化するグラデーション部分を形成したり、或いは、グラデーション部分の範囲を拡大したりすることができる。即ち、目盛部３７の照明を少なくとも部分的にグラデーション化することができる。また、拡大レンズ形状部の形状により、見る位置によって、目盛部３７のグラデーション部分の範囲やグラデーション部分の変化の仕方を変えることができる。なお、この場合、拡大レンズ形状部を凹レンズ形状とし、見る人（乗員）の目の位置に焦点を合せないようにすることにより、着色境界部を拡大しつつ、ぼかすようにしている。
【００６４】
ここで、拡大レンズ形状部は、着色フィルタ部５１の奥側の端部５１ａの位置から目盛部３７の表面に達するまでの距離（即ち、目盛部３７を出るまでの光路長）が長くなるほど拡大効果が高くなる傾向にある。この場合には、手前側よりも奥側の位置の方が、光路長が大きくなるようにしている。
【００６５】
例えば、着色フィルタ部５１の奥側の端部５１ａを、図５に示すように、図３の位置よりも手前側にした場合には、上記したように、着色境界部の位置が手前側へ寄ると共に、
Ａ方向から見た場合は、目盛部３７全体が非着色に見えるためグラデーション部分はないが、Ｂ方向から見た場合には、範囲は狭いがグラデーション部分が見える。また、Ｃ〜Ｅ方向からは目盛部３７がはっきりした着色境界部を有して二色に見えるためグラデーション部分はないことになる。
【００６６】
また、例えば、着色フィルタ部５１の奥側の端部５１ａを、図３や図６に示すように、奥側にした場合には、上記したように、着色境界部の位置が奥側へ寄ると共に、Ｂ〜Ｅ方向から見た場合に図５よりも範囲の広いグラデーション部分が見えることになる。なお、Ａ方向からは目盛部３７全体が非着色に見えるためグラデーション部分はないということになる。
【００６７】
＜変形例＞次に、この実施例の変形例について説明する。以下の変形例は、上記実施例の全ての構成を備えている。
【００６８】
（構成５）変形例１（先端リング照明について）
図７〜図９はこの実施例の変形例１を示すものである。このうち、図７は全体斜視図、図８はその正面図、図９は断面図であり、主に、図９を用いて説明する。
【００６９】
この変形例１では、上記したように、目盛部３７が、文字板２７の指針回動領域３３を取囲むように設けられた見返筒部３６の内周面に形成される場合に、見返筒部３６の手前側の端部の周辺に、周方向へ延びて、外部（乗員側）から前記外側入光部５３を覗くことのできる透明なリング状窓部５５が形成されるようにする。
【００７０】
ここで、リング状窓部５５は、アッパハウジング２４の内周面と見返筒部３６の外周面との間に形成される上記した空間部（外側入光部５３）を手前側に延長した位置に設けるようにする。
【００７１】
（作用効果５）
上記構成によれば、照明用光源部３５を点灯した時に、リング状窓部５５を照明することができる。しかも、上記した空間部（外側入光部５３）には着色フィルタ部５１が設置されているので、リング状窓部５５の照明を着色フィルタ部５１の色に照明することができる。即ち、見返筒部３６の手前側の端部周辺を、目盛部３７を取囲むようなリング状に着色照明することができる（先端リング照明）。
【００７２】
そして、リング状窓部５５を着色フィルタ部５１の色によって照明する効果は、照明用光源部３５を点灯してリング状窓部５５を照明している時に顕著に現れ、照明用光源部３５を消灯してリング状窓部５５を照明しない時には（内部が暗いため）余り目立たないようにすることができる。即ち、点灯時と消灯時とで、リング状窓部５５の色を変化させることができる。
【００７３】
（構成６）変形例２（金属メッキ被覆部について）
図１０〜図１２はこの実施例の変形例２を示すものである。このうち、図１０は全体斜視図、図１１はその正面図、図１２は断面図であり、主に、図１２を用いて説明する。
【００７４】
この変形例２では、上記したリング状窓部５５に対し、直接または間接的にハーフミラー効果を有する金属メッキ被覆部５６を施すようにする。
【００７５】
この場合には、フロントカバー２６の表面における、リング状窓部５５の位置に対し、側方から見て山型の突条部５７を周方向に設け、この山型の突条部５７の表面に対して金属メッキ被覆部５６を施すことにより、リング状窓部５５に間接的に金属メッキ被覆部５６を施すようにしている。
【００７６】
（作用効果６）
上記構成によれば、リング状窓部５５にハーフミラー効果を有する金属メッキ被覆部５６を施したことにより、照明用光源部３５を点灯した時には、リング状窓部５５を着色フィルタ部５１の色と金属メッキ被覆部５６による金属色との混合色に着色照明し、照明用光源部３５を消灯した時には、リング状窓部５５を金属メッキ被覆部５６による金属色にすることができる。
【００７７】
なお、変形例１や変形例２における、上記したリング状窓部５５や金属メッキ被覆部５６は、見返筒部３６とアッパハウジング２４とを別部品で構成すると共に、見返筒部３６とアッパハウジング２４との手前側端部間に、別部品として取付けるようにしても良いが、より好適には、以下のようにすることができる。
【００７８】
（構成７）一体化について
上記したように、見返筒部３６の外側に、アッパハウジング２４が設けられる場合に、アッパハウジング２４と見返筒部３６との先端部間をリング状の端壁部５８で連結し、この端壁部５８に対して上記リング状窓部５５を形成する構成とすることができる。
【００７９】
この場合には、アッパハウジング２４と、端壁部５８と、見返筒部３６とを透明樹脂によって一体に形成し、アッパハウジング２４の外周面と、端壁部５８の表面と、見返筒部３６の内周面とに対し、図３のように上記した不透光性の被覆層３６ａを形成したものを基本として、図９、図１２に示すように、端壁部５８の表面の少なくとも上記空間部（外側入光部５３）を手前側に延長した位置を塗り残すことによってリング状窓部５５を形成するようにしている。なお、端壁部５８の全体に対して不透光性の被覆層３６ａを設けないようにしても良い。また、アッパハウジング２４の外周面については、上記不透光性の被覆層３６ａが設けられるようにする。
【００８０】
（作用効果７）
上記したように、見返筒部３６とアッパハウジング２４とを端壁部５８で連結することにより、これらを一体化することが可能となるため、構造の簡略化と、部品点数の削減によるコストダウンとを図ることができる。また、端壁部５８を利用することにより、見返筒部３６の手前側の端部にリング状窓部５５を容易に形成することが可能となる。
【００８１】
なお、上記実施例では、目盛部３７は、文字板２７の位置から手前側へ延びるように設置されているが、これに対し、文字板２７を以下の変形例に示すようにすることもできる。なお、以下の変形例は、上記した変形例１、変形例２と組合せることが可能である。
（構成９）変形例３
図１３〜図１５は変形例３を示すものである。このうち、図１３は全体斜視図、図１４はその正面図、図１５は断面図であり、主に、図１５を用いて説明する。
【００８２】
この実施例では、上記した底壁部５９の上部に、透明な支持台部６５を介して、文字板２７を間接的に載置支持するようにしたものである。
【００８３】
この際、支持台部６５は、上記した底壁部５９と一体に形成しても別体に形成しても良い。この場合には、底壁部５９と一体にしている。また、文字板２７は、支持台部６５の表面に、上記した不透光性の被覆層などを施すことによって直接形成するようにしても良い。
【００８４】
そして、支持台部６５の奥側部分を、文字板２７よりも径の小さい円柱状の小径部６６とすると共に、支持台部６５の手前側部分を、小径部６６から文字板２７へ向けて拡径する截頭円錐状の拡径部６７としている。
【００８５】
また、小径部６６の外周面に不透光性の被覆層６６ａ（上記した被覆層３６ａと同様のもの）を設けると共に、拡径部６７の外周面に照明用光源部３５の光を文字板２７の裏面側へ向けて周方向に出射可能な出射部６７ａを設けるようにしている。この出射部６７ａは、上記した不透光性の被覆層６６ａなどを設けないことによって形成する。
（作用効果９）
上記構成によれば、支持台部６５を用いて文字板２７を底壁部５９よりも手前側に配置させることにより、文字板２７を宙に浮いているように見せることができると共に、文字板２７の裏面側まで廻り込むように延びる目盛部３７によって、立体感をより高めることができるようになる。
【００８６】
また、文字板２７の裏面側に位置する支持台部６５の拡径部６７に、周方向へ延びる光の出射部６７ａを設けることにより、文字板２７の裏面側を周方向に照明して（奥側リング照明）、更に立体感を高めることができるようになる。
（構成１０）変形例４
図１６〜図１８は変形例４を示すものである。このうち、図１６は全体斜視図、図１７はその正面図、図１８は断面図であり、主に、図１８を用いて説明する。
【００８７】
この実施例では、上記実施例３とほぼ同様の構成において、文字板２７の周縁部を奥側へ屈曲させた立体形状としている。そして、文字板２７周縁部の屈曲した部分に対し、数値表示部３４を手前側へ突出するように形成して立体視できるようにしている。更に、目盛部３７の奥側の端部を、文字板２７よりも手前側で終わるようにしている。この場合には、目盛部３７の奥側の端部は、指針３１とほぼ同じ位置とされている。なお、上記突出部４１については、目盛部３７の奥側の端部よりも奥側の部分を、奥側へ向かうに従い外周側へ進む曲線的な傾斜部４１ａとしている。これにより、目盛部３７は、底部入射面４２がなく、外側入射面５２のみを有するものとなる。
【００８８】
加えて、文字板２７の裏面側に位置する支持台部６５を、上記底壁部５９から文字板２７へ向けて縮径する縮径部７１としている。更に、縮径部７１の外周面に照明用光源部３５の光を文字板２７の側方（上記した傾斜部４１ａの周辺）へ向けて周方向に出射可能な出射部７１ａを設けるようにしている。なお、縮径部７１の外周面で出射部７１ａとしない部分については、特に図示しないが、不透光性の被覆層６６ａを設けて覆うようにする。
【００８９】
更に、ロワハウジング２３の内部を、指針軸２９と同心に周方向へ延びる隔壁２３ａによって、文字板２７の側と、目盛部３７の側とに仕切ると共に、隔壁２３ａで仕切られた内周側の室（文字板照明用空間）と外周側の室（目盛照明用空間）に対してそれぞれ、専用の照明用光源部３５を設けるようにしている。
（作用効果１０）
上記構成によれば、文字板２７の周縁部を屈曲させること、数値表示部３４を文字板２７の手前側へ突出させること、目盛部３７の奥側の端部を、文字板２７よりも手前側に位置させることにより、それぞれ立体感をより高めることができるようになる。
【００９０】
また、文字板２７の裏面側に位置する支持台部６５の縮径部７１に、周方向へ延びる光の出射部６７ａを設けることにより、見返筒部３６における文字板２７の側方部分を周方向に照明して（奥側リング照明）、更に立体感を高めることができるようになる。
【００９１】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【産業上の利用可能性】
【００９２】
この発明にかかる計器装置は、自動車などの車両に限らず、各種の乗り物に対して設けることが可能である。また乗り物以外の設備に使用することも可能である。また、速度計や回転計に限らず、各種の計器に対して適用することができる。
【符号の説明】
【００９３】
２１  計器装置
２４  アッパハウジング
２７  文字板
３３  指針回動領域
３５  照明用光源部
３６  見返筒部
３７  目盛部（透明部材、拡大レンズ形状部）
３８  横表示部
３９  縦表示部
４２  底部入射面（入射面）
５１  着色フィルタ部
５１ａ  奥側の端部
５２  外側入射面（入射面）
５３  外側入光部
５５  透明なリング状窓部
５６  金属メッキ被覆部
５８  端壁部
【図１】
0005501929.tif 000002
【図２】
0005501929.tif 000003
【図３】
0005501929.tif 000004
【図４】
0005501929.tif 000005
【図５】
0005501929.tif 000006
【図６】
0005501929.tif 000007
【図７】
0005501929.tif 000008
【図８】
0005501929.tif 000009
【図９】
0005501929.tif 000010
【図１０】
0005501929.tif 000011
【図１１】
0005501929.tif 000012
【図１２】
0005501929.tif 000013
【図１３】
0005501929.tif 000014
【図１４】
0005501929.tif 000015
【図１５】
0005501929.tif 000016
【図１６】
0005501929.tif 000017
【図１７】
0005501929.tif 000018
【図１８】
0005501929.tif 000019
【図１９】
0005501929.tif 000020
【図２０】
0005501929.tif 000021